(57)【要約】【課題】  背面側に盤側接続端子を設けてあっても遊技盤の盤面を遊技領域として広く活用することができ、遊技盤の運搬・搬送や内枠への着脱の際に盤側接続端子の損傷を防止することのできる遊技機の配線接続構造と、その配線接続構造を備えた遊技機を提供する。【解決手段】  遊技盤２０の第一制御部２１には、盤側接続端子２３を実装した配線基板２２が配置されている。この配線基板２２は、遊技盤２０の取付面２０Ｂの下辺と平行に盤裏カバー２９に保持され、かつ内枠３０の内面に向かう盤側接続端子２３を実装している。そして、盤側接続端子２３は取付面２０Ｂの後方領域Ｔ内において、取付面２０Ｂと平行状に位置している。【選択図】図３
2011104273.tif 000002
【特許請求の範囲】
【請求項１】
第一主表面が遊技を実行する複数の遊技装置を装着するための盤面であり、第二主表面がそれらの遊技装置を作動させる第一制御部を搭載するための取付面である矩形板状の遊技盤と、矩形状枠組み構造の内側に前記遊技盤を着脱可能に嵌め込み固定するとともに、前記第一制御部に対して信号の送受信を行う第二制御部を搭載する内枠との間に配設される配線接続構造であって、
前記内枠の内面に向かう盤側接続端子を前記取付面の投影領域内に位置するように取り付けるために、前記遊技盤の取付面側においてその取付面と交差して形成された設置部と、
前記内枠の第二制御部と接続されかつ前記盤側接続端子と接続することが予定された枠側接続端子を取り付けるとともに、前記取付面に沿って往復移動することにより、前記枠側接続端子の先端部を含む全体を前記取付面の投影領域外に位置させる退避状態と、少なくとも先端部を前記取付面の投影領域内に位置させる進出状態とに位置変更可能な装着部材とを備え、
前記枠側接続端子は、前記退避状態であるとき前記盤側接続端子との接続が解除される一方、前記進出状態であるとき前記盤側接続端子と接続されることを特徴とする遊技機の配線接続構造。
【請求項２】
前記遊技盤に形成された設置部と前記内枠に対して位置変更可能に保持された装着部材とのうち少なくともいずれか一方は、対応する前記盤側接続端子又は枠側接続端子が実装された基板にて構成されている請求項１に記載の遊技機の配線接続構造。
【請求項３】
前記装着部材の退避状態と進出状態との間の位置変更を行うために、人為的に操作される操作部材が前記内枠の内部に配置されている請求項１又は２に記載の遊技機の配線接続構造。
【請求項４】
前記設置部としての配線基板は、前記遊技盤の取付面側に固定されて前記第一制御部を覆うカバー体に、前記盤側接続端子の先端部が鉛直方向下向きとなる形態にて取り付けられている請求項１ないし３のいずれか１項に記載の遊技機の配線接続構造。
【請求項５】
前記カバー体には、前記盤側接続端子に沿ってその先端部よりも高く突出する突出部が形成されている請求項４に記載の遊技機の配線接続構造。
【請求項６】
前記第二制御部には、前記枠側接続端子に沿って延出する延出部が配置され、
その延出部には前記枠側接続端子の進出状態において前記突出部と係合する係合部が形成されている請求項５に記載の遊技機の配線接続構造。
【請求項７】
請求項１ないし６のいずれか１項に記載の配線接続構造が前記遊技盤と内枠との間に配設されていることを特徴とする遊技機。
【発明の詳細な説明】
【技術分野】
【０００１】
本発明は、遊技機の配線接続構造に関する。また、本発明は、その配線接続構造を遊技盤と内枠との間に備えた遊技機に関する。
【背景技術】
【０００２】
例えばパチンコ機（遊技機）の矩形状の遊技盤の前面（盤面）には、センター役物、入賞装置、液晶表示装置、ランプ類等で例示されるように、電気配線を含む遊技装置が多数装着されている。これらの遊技装置は、電源や制御信号の入出力（送受信）を行うために、接続端子（雄型コネクタと雌型コネクタ）を介し、遊技盤の背面に搭載された制御部（第一制御部）において、対応する主制御基板、発光制御基板等と、それぞれ電気的に接続されている。
【０００３】
一方、遊技盤を着脱可能に嵌め込み固定する矩形状の内枠の前面又は背面にも、発射ハンドル、スピーカ、払出装置等で例示されるように、電気配線を含む各種の遊技装置が装着されている。これらの遊技装置は、電源や制御信号の入出力（送受信）を行うために、接続端子（雄型コネクタと雌型コネクタ）を介し、内枠の背面に搭載された制御部（第二制御部）において、対応する発射制御基板、払出制御基板等と、それぞれ電気的に接続されている。なお、遊技盤に装着される液晶表示装置が内枠に搭載される表示制御基板によって駆動制御され、内枠に装着されるスピーカが遊技盤に搭載される音声制御基板によって駆動制御されるように、遊技装置が遊技盤と内枠とのうちの一方、制御基板が他方に設けられる場合もある。
【０００４】
したがって、遊技盤に搭載される第一制御部において主制御基板とその他の制御基板との間、及びその主制御基板と内枠に搭載される第二制御部（の各種制御基板）との間には、信号の送受信が必然的に発生する。また、遊技盤に搭載される制御基板と内枠に搭載される制御基板との相互間においても、信号の送受信が必要となる場合もある。ところで、遊技機の設計変更（モデルチェンジ）や仕様変更（マイナーチェンジ）が低廉に行えるように、遊技盤は内枠に対して着脱可能とされている。遊技盤を交換する際、遊技盤に搭載される制御基板と内枠に搭載される制御基板との間の電気配線を接続解除した後再接続するために、中継用の基板（配線基板）が必要となり、このような配線基板は、主制御基板を搭載する遊技盤側に設けられることが多い。
【０００５】
そこで、このような遊技機では、遊技盤が、内枠の上下方向の開閉軸線に沿う辺（左辺）を中心に回動して内枠の内側に嵌め込み固定されることを利用して、遊技盤の投影領域内の右下部（ただし背面側）において、盤側コネクタを遊技盤（背面）と平行状に取り付ける一方、内枠には、盤側コネクタに対応する位置に枠側コネクタを固定配置することが提案されている（特許文献１参照）。また、遊技盤の投影領域内の左側縁部（ただし背面側）において、盤側コネクタ基板（配線基板）を遊技盤（背面）と平行状に取り付ける一方、内枠には、盤側コネクタ基板に対応する位置に枠側コネクタ基板（接続基板）を固定配置することも提案されている（特許文献２参照）。
【０００６】
これらの遊技機では、遊技盤（背面）と内枠とに各々取り付けられて向き合うコネクタ（接続端子）同士が、遊技盤の内枠への嵌め込み操作に伴って接続されるので、内枠に対する遊技盤の着脱（交換）作業を迅速・簡便に行える利点がある。
【先行技術文献】
【特許文献】
【０００７】
【特許文献１】特開２００４−１６７２２５号公報
【特許文献２】特開２００６−２４７２３０号公報
【０００８】
しかし、特許文献１，２に示すような配線接続構造を用いた場合、遊技盤の遊技領域（の背面スペース）が配線基板の設置によって狭められることになる。すなわち、電気配線を伴う遊技装置を遊技領域（盤面）に装着するときには、その背面には少なくとも配線処理スペースが必要であり、遊技装置が入賞装置であれば背面側に球通路も必要とするので、それらに対応する背面スペースに配線基板を設置することはできなくなる。他方、遊技領域の背面側にて配線基板を設置するときには、それらに対応する盤面スペースを遊技領域（遊技装置の設置スペース）には利用できなくなり、液晶表示装置の大型化等に伴う、近年の遊技領域の拡大要請に応えられなくなる。
【０００９】
また、特許文献１，２に示す遊技盤では、盤側コネクタ（盤側接続端子）が遊技盤の背面側に露出状態で突出する場合があり、交換用の（又は交換後の）遊技盤を重ねて運搬・搬送したり、内枠に対して着脱したりする際に、これらのコネクタが損傷するおそれがある。
【発明の概要】
【発明が解決しようとする課題】
【００１０】
本発明の課題は、背面側に盤側接続端子を設けてあっても遊技盤の盤面を遊技領域として広く活用することができ、遊技盤の運搬・搬送や内枠への着脱の際に盤側接続端子の損傷を防止することのできる遊技機の配線接続構造と、その配線接続構造を遊技盤と内枠との間に備えた遊技機を提供することにある。
【課題を解決するための手段及び発明の効果】
【００１１】
上記課題を解決するために、本発明の遊技機の配線接続構造は、
第一主表面（例えば前面）が遊技を実行する複数の遊技装置を装着するための盤面であり、第二主表面（例えば背面）がそれらの遊技装置を作動させる第一制御部を搭載するための取付面である矩形状の遊技盤と、矩形状枠組み構造の内側に前記遊技盤を着脱可能に嵌め込み固定するとともに、前記第一制御部に対して信号の送受信を行う第二制御部を搭載する内枠との間に配設される配線接続構造であって、
前記内枠の内面に向かう盤側接続端子を前記取付面の投影領域内に位置するように（例えば前記取付面と平行状に）取り付けるために、前記遊技盤の取付面側においてその取付面と交差して（例えば直交状であって、当該取付面の一辺である下辺と平行な水平状に）形成された設置部と、
前記内枠の第二制御部と接続されかつ前記盤側接続端子と接続することが予定された枠側接続端子を（例えば前記取付面と平行状に）取り付けるとともに、前記取付面に沿って（平行状に）往復移動することにより、前記枠側接続端子の先端部を含む全体を前記取付面の投影領域外に位置させる退避状態と、少なくとも先端部を前記取付面の投影領域内に位置させる進出状態とに位置変更可能な装着部材とを備え、
前記枠側接続端子は、前記退避状態であるとき前記盤側接続端子との接続が解除される一方、前記進出状態であるとき前記盤側接続端子と接続されることを特徴とする。
【００１２】
このような配線接続構造においては、装着部材（例えば端子ケース）の進出状態（すなわち取付面の投影領域内）にて、互いに取付面に沿うように配置される盤側接続端子と枠側接続端子とを接続するので、遊技盤の盤面を遊技領域として広く活用することができる。また、装着部材を退避状態（すなわち取付面の投影領域外）として盤側接続端子と枠側接続端子との接続を解除し、内枠から遊技盤を離脱させるとき、盤側接続端子は取付面の投影領域内にあり、枠側接続端子は全体が取付面の投影領域外にあるので、遊技盤を重ねて運搬・搬送したり、内枠に対して着脱したりする際に、枠側接続端子、盤側接続端子等の損傷を防止できる。
【００１３】
パチンコ機の場合、一般的には、内枠は上下方向の一辺（例えば左辺）と平行な開閉軸線周りで、ヒンジにより外枠（固定枠）に対して回動開閉可能に支持され、遊技盤は開閉軸線に沿う辺（例えば左辺）を中心に回動して内枠の内側に嵌め込み固定される。なお、盤側接続端子と枠側接続端子とは、一方を雌型コネクタ、他方を雄型コネクタとし、少なくとも一方をフローティングコネクタにて構成するとよい。
【００１４】
そして、遊技盤に対する盤側接続端子の取り付けと、内枠に対する枠側接続端子の取り付けとは、例えば次のように組み合わせることができる。
（１）盤側接続端子を設置部としての配線基板に実装する一方、枠側接続端子を装着部材としての移動部材（内枠の内部を移動する端子ケース）に取り付ける。
（２）盤側接続端子を設置部としての固定板に取り付ける一方、枠側接続端子を装着部材としての接続基板（移動部材でもある）に実装する。
（３）盤側接続端子を設置部としての配線基板に実装する一方、枠側接続端子を装着部材としての接続基板（移動部材でもある）に実装する。
（４）盤側接続端子を設置部としての固定板に取り付ける一方、枠側接続端子を装着部材としての移動部材（内枠の内部を移動する端子ケース）に取り付ける。
【００１５】
上記配線接続構造では、遊技盤に形成された設置部と内枠に対して位置変更可能に保持された装着部材とのうち少なくともいずれか一方は、対応する盤側接続端子又は枠側接続端子が実装された基板で構成することが望ましい。
【００１６】
これによって、少なくともいずれかの端子と基板との間の配線を省略してコストダウンを図ることができ、また配線の絡み付き等により生じる断線を抑制することができる。
【００１７】
一例として、盤側接続端子は第一制御部と接続された配線基板に実装される一方、枠側接続端子は第二制御部と接続された接続基板に実装され、
接続基板の退避状態において遊技盤が内枠の内側に嵌め込まれ、接続基板と遊技盤の配線基板とが平行状に位置するとき、
接続基板の退避状態から進出状態への位置変更に伴って、接続基板に実装された枠側接続端子と配線基板に実装された盤側接続端子とが向き合う（対峙する）形にて直接接続可能とすることができる。
【００１８】
この場合には、接続基板と配線基板との直接接続（ボードtoボード接続）により、両基板間の配線を省略してコストダウンを図ることができ、また配線の絡み付き等により生じる断線を抑制することができる。
【００１９】
このような装着部材（枠側接続端子）の退避状態と進出状態との間の位置変更を行うために、人為的に操作される操作部材を内枠の内部に配置することができる。
【００２０】
このように、操作部材は、前面枠に配置される遊技装置（発射ハンドル、スピーカ、球受皿等）の取り付けを妨げず、遊技者が操作できないように前面枠で覆われている。なお、操作部材は、枠側接続端子又は枠側接続端子を取り付けるための端子ケースから一体的に突出形成することができる。
【００２１】
なお、枠側接続端子を取り付けるための端子ケース（装着部材）と操作部材との連結構造を次のように構成してもよい。
（１）端子ケースと操作部材とをリンク機構（例えばスライダクランク機構）によって連結する構成；
（２）端子ケースと操作部材とを歯車伝動機構（例えばラックとピニオン）を介して連結する構成；
（３）端子ケースと操作部材とをリンク機構（例えば揺動アーム機構）によって連結するとともに、遊技盤の下端部を把持する把持部材と操作部材とを他のリンク機構（例えば他の揺動アーム機構）によって連結する構成。
【００２２】
これら（１）〜（３）の構成によれば、装着部材（端子ケース）すなわち枠側接続端子（ひいては操作部材）の退避状態及び進出状態における位置保持が容易である。なお、（３）の場合には、操作部材の操作により、端子ケースの昇降運動と把持部材の揺動運動とが連動し、枠側接続端子と盤側接続端子との接続（接続解除）及び内枠と遊技盤との固定（固定解除）を同時に実行できる。
【００２３】
また、設置部としての配線基板は、遊技盤の取付面側に固定されて第一制御部を覆うカバー体（例えば盤裏カバー）に、盤側接続端子の先端部が鉛直方向下向きとなる形態にて取り付けられる場合がある。
【００２４】
このように、カバー体を利用して配線基板を取り付けることにより、構成を簡素にするとともに、配線基板を遊技盤の取付面から遠ざけ、ひいては対応する盤面スペースを遊技領域に活用しやすくすることができる。
【００２５】
さらに、カバー体には、盤側接続端子に沿って（例えば平行状に）その先端部よりも高く突出する突出部を形成することができる。
【００２６】
このように、突出部が盤側接続端子の先端部よりも高く突出することにより、遊技盤を重ねて運搬・搬送したり、内枠に対して着脱したりする際に、盤側接続端子等の損傷を防止できる。なお、突出部を、カバー体からリブ状に突出する保護壁にて構成してもよい。
【００２７】
一方、第二制御部には、枠側接続端子に沿って（例えば平行状に）延出する延出部が配置され、
その延出部には枠側接続端子の進出状態において突出部と係合する係合部を形成することができる。
【００２８】
このように、突出部と係合部との係合によって、盤側接続端子と枠側接続端子とを接続する際の芯ずれが減少し、両端子の損傷を防止して耐久性を向上させることができる。なお、延出部を、第二制御部（例えば端子ケース）からリブ状に延出する延出壁にて構成してもよい。
【００２９】
次に、上記課題を解決するために、本発明の遊技機は、
上記した配線接続構造が前記遊技盤と内枠との間に配設されていることを特徴とする。
【００３０】
このように、装着部材（例えば端子ケース）の進出状態（すなわち取付面の投影領域内）にて、互いに取付面に沿うように配置される盤側接続端子と枠側接続端子とを接続するので、遊技盤の盤面を遊技領域として広く活用することができる。また、装着部材を退避状態（すなわち取付面の投影領域外）として盤側接続端子と枠側接続端子との接続を解除し、内枠から遊技盤を離脱させるとき、盤側接続端子は取付面の投影領域内にあり、枠側接続端子は全体が取付面の投影領域外にあるので、遊技盤を重ねて運搬・搬送したり、内枠に対して着脱したりする際に、枠側接続端子、盤側接続端子等の損傷を防止できる。
【００３１】
なお、本発明は、パチンコ機以外の遊技機（例えば、アレンジボール、アレンジパチンコ（アレパチ）、雀球遊技機等）に適用してもよい。
【図面の簡単な説明】
【００３２】
【図１】本発明に係る配線接続構造を備えたパチンコ機を例示する正面図。
【図２】図１の背面図。
【図３】図２のＡ−Ａ断面図。
【図４】図３のＢ−Ｂ断面図。
【図５】内枠ユニットに対して遊技盤ユニットを正面側から着脱する状況を説明する斜視図。
【図６】遊技盤ユニットの背面図及び側面図。
【図７】図５又は図６（ｂ）のＣ部を拡大して示す斜視図。
【図８】図４においてコネクタ接続を解除した状態を表す説明図。
【図９】図８においてコネクタ接続状態を表す説明図。
【図１０】図３においてコネクタの断続操作を表す断面説明図。
【図１１】図１０の第一変形例を示す断面説明図。
【図１２】図１０の第二変形例を示す断面説明図。
【図１３】図１０の第三変形例を示す断面説明図。
【図１４】図６（ｂ）のＣ部の変形例を示す断面説明図。
【図１５】図３に代わり、本発明に係る他の配線接続構造を示す側面視断面図。
【発明を実施するための形態】
【００３３】
（実施例１）
以下、本発明の実施の形態を図面を参照しつつ説明する。図１は本発明に係る配線接続構造を備えたパチンコ機を例示する正面図、図２はその背面図、図３はＡ−Ａ断面図、図４はＢ−Ｂ断面図である。図１に示すように、パチンコ機１（遊技機）の遊技盤ユニット２は内枠ユニット３に着脱可能に嵌め込み固定され、内枠ユニット３は正面視左側にてヒンジ３ａを通る上下方向の開閉軸線Ｏ周りで外枠４（固定枠）に対して回動開閉可能に支持されている。また、遊技盤ユニット２は手前側（遊技者側）に位置するガラス板（図示せず）で覆われ、ガラス板は前面枠５（ガラス枠）に固定され、前面枠５はヒンジ（図示せず）により内枠ユニット３に対して回動開閉可能に支持されている。なお、内枠ユニット３は前面枠５の背面側に、外枠４は内枠ユニット３の背面側に、それぞれ部分的に重なり合った状態で配置されている（図５参照）。
【００３４】
遊技盤ユニット２の主要部を構成する遊技盤２０の盤面２０Ｆ（前面；第一主表面）には、ほぼ左半周が内外２本のガイドレール２０ｂによって区画され、全体として円形に近い形状の遊技領域２０ａが形成されている。遊技領域２０ａの中央には液晶表示装置６（遊技装置）が搭載され、液晶表示装置６の下方（遊技領域２０ａの中央下部）に大入賞装置７（アタッカー；遊技装置）が配置されている。また、液晶表示装置６と大入賞装置７との間には、電動チューリップ（電チュー）にて構成される始動入賞装置８（チャッカー；遊技装置）が配置されている。
【００３５】
さらに、前面枠５の下部には、発射用の遊技球を貯留しておくための球受皿９が前方側に膨出する形で左右方向に延設されている。前面枠５の右側下端部には、球受皿９から供給された遊技球を遊技領域２０ａに発射するための発射ハンドル１０（遊技装置）が前方側に突出形成され、球受皿９の真下で発射ハンドル１０の近傍には、スピーカ１１（遊技装置）が配置されている。なお、内枠３０の左側縁部背面には、賞球や貸球を球受皿９へ払い出すための払出装置１２（遊技装置）が配置されている（図２参照）。
【００３６】
遊技盤２０は、左辺２０Ｌ，右辺２０Ｒ，上辺２０Ｕ，下辺２０Ｄの四辺が矩形状（正方形状又は長方形状）の板製であり（図６（ａ）参照）、上記したように、盤面２０Ｆに液晶表示装置６，大入賞装置７，始動入賞装置８等の遊技装置を装着している。また、その背面はこれらの遊技装置６，７，８を作動させる第一制御部２１を搭載するための取付面２０Ｂ（第二主表面）となる（図３参照）。なお、第一制御部２１は取付面２０Ｂに固定された盤裏カバー２９（カバー体）によって覆われるとともに、各種制御基板等が盤裏カバー２９の内部に保持されている（図５参照）。
【００３７】
図２に示すように、内枠３０は、左辺３０Ｌ，右辺３０Ｒ，上辺３０Ｕ，下辺３０Ｄの四辺が矩形状（正方形状又は長方形状）の枠組み構造で構成され、その背面側に、上記した発射ハンドル１０，スピーカ１１，払出装置１２等の遊技装置を作動させる第二制御部３１を搭載している。第二制御部３１は、遊技盤２０に搭載された第一制御部２１に対して信号の送受信を行う。そして、遊技盤２０は開閉軸線Ｏに沿う左辺２０Ｌを中心に回動して内枠３０の内側に正面側から嵌め込み固定される（図５参照）。
【００３８】
なお、本明細書において、上下方向とは遊技盤２０の盤面２０Ｆに沿う形で遊技球が流下する方向（例えば、鉛直方向）を意味する。また、左右方向とは遊技盤２０の盤面２０Ｆに沿う形で上下方向と交差する方向（例えば、水平方向）を意味し、遊技者側（正面側）からみて左側、右側をいう。さらに、前後方向とは遊技盤２０と交差（例えば、直交）する方向を意味し、遊技者に対面する側（手前側）が前面側（前方側）であり、その反対側（奥側）が後面側（後方側）となる。
【００３９】
図３に示すように、遊技盤２０（遊技盤ユニット２）の第一制御部２１には、複数（例えば４個）の盤側接続端子２３を実装した配線基板２２（設置部）が配置されている。この配線基板２２は、遊技盤２０の取付面２０Ｂの下辺２０Ｄと平行に盤裏カバー２９に保持され（図４、図６、図７参照）、かつ内枠３０の内面に向かう盤側接続端子２３を実装している。そして、盤側接続端子２３は取付面２０Ｂの後方領域Ｔ（投影領域）内において、取付面２０Ｂと平行状に位置している。一方、内枠３０（内枠ユニット３）の第二制御部３１には盤側接続端子２３と接続するために、それと同数（４個）の枠側接続端子３３が配置され、これらの枠側接続端子３３は、第一制御部２１と第二制御部３１との接続状態において、遊技盤２０の取付面２０Ｂに対して平行状に配置される。なお、盤側接続端子２３と枠側接続端子３３とは、いずれか一方（例えば盤側接続端子２３）が雄型コネクタ、他方（例えば枠側接続端子３３）が雌型コネクタであればよく、少なくとも一方にフローティングコネクタを用いることができる。
【００４０】
すなわち、枠側接続端子３３は、取付面２０Ｂに沿って平行状に往復運動することにより、
［１］先端部を含む全体を取付面２０Ｂの後方領域Ｔ（投影領域）外に位置させる退避状態（図１０（ａ）参照）と、
［２］先端部を取付面２０Ｂの後方領域Ｔ内に位置させる進出状態（図１０（ｂ）参照）と、
に位置変更可能である。
【００４１】
したがって、
［１］図８、図１０（ａ）のように、枠側接続端子３３が退避状態であるとき、枠側接続端子３３と盤側接続端子２３との接続が解除され、
［２］図９、図１０（ｂ）のように、枠側接続端子３３が進出状態であるとき、枠側接続端子３３と盤側接続端子２３とが接続可能となる。
【００４２】
また、図３に示すように、枠側接続端子３３は端子ケース（装着部材、移動部材）３５上に配置され、その端子ケース３５は枠側接続端子３３の退避状態と進出状態の間の位置変更を行うために人為的に操作される操作部材３４と一体的に突出形成されている。そして、操作部材３４は内枠３０の内部の窓孔３８から前方へ突出して配置されている。
【００４３】
このように、操作部材３４は、内枠３０の内部に配置されることで前面枠５（図１参照）に配置される遊技装置（発射ハンドル１０、スピーカ１１、球受皿９等）の取り付けを妨げない。さらに、その前方は前面枠５で覆われているため遊技者が操作できないようになっている。ここで、操作部材３４の位置は後方にある方がその前方のスペースを有効利用でき、前面枠５の邪魔にもならない。
【００４４】
配線接続の構成についてさらに具体的に説明する。図４に示すように第一制御部２１側から延びた第一ハーネス２４は配線基板２２と接続され、その配線基板２２には盤側接続端子２３が配置されている。また、第二制御部３１側から延びた第２ハーネス３７は端子ケース３５に配置された枠側接続端子３３と接続されている。そして、これら盤側接続端子２３と枠側接続端子３３とが互いに接続され、第一制御部２１と第二制御部２２との間の信号の送受信が可能となる。
【００４５】
図５は内枠ユニットに対して遊技盤ユニットを正面側から着脱する状況を説明する斜視図、図６は遊技盤ユニットの背面図及び側面図、図７は図５又は図６（ｂ）のＣ部を拡大して示す斜視図である。また、図８は図４においてコネクタ接続を解除した状態を表す説明図、図９は図８においてコネクタ接続状態を表す説明図、図１０は図３においてコネクタの接続操作を表す断面説明図である。
【００４６】
図６（ｂ）に示すように盤側接続端子２３は、遊技盤２０の取付面２０Ｂの後方領域Ｔ内に位置するように配置されている。また、配線基板２２は、盤側接続端子２３の先端部が鉛直下向き（図６（ｂ）、図３、図７参照）となるように、盤裏カバー２９に取り付けられている。
【００４７】
このように、カバー体２９を利用して配線基板２２を取り付けることにより、構成を簡素にするとともに、配線基板２２を遊技盤２０の取付面２０Ｂから遠ざけ、ひいては対応する盤面スペースを遊技領域２０ａに活用しやすくすることができる。
【００４８】
以上のような遊技盤（遊技盤ユニット）と内枠（内枠ユニット）との配線接続構造に基づく遊技盤取付作業について、図５、６及び図８〜１０により説明する。
【００４９】
＜遊技盤の取付作業＞
開閉軸線Ｏに沿う左辺２０Ｌを中心に遊技盤２０（遊技盤ユニット２）を回動し、内枠３０（内枠ユニット２）の内側に正面側から嵌め込み固定する（図５、図６（ａ）参照）。このとき、取付面２０Ｂの後方領域Ｔ内に盤側接続端子２３の先端部が位置しているので、遊技盤２０を内枠３０に固定しても盤側接続端子２３と内枠３０（枠側接続端子３３）が接触することはない（図１０（ａ）参照）。また、枠側接続端子３３は後方領域Ｔ外にいるので盤側接続端子２３と枠側接続端子３３（内枠３０）とが接触することはない（図１０（ａ）参照）。
【００５０】
＜接続作業＞
遊技盤２０を内枠３０に固定したとき、図８、図１０（ａ）に示すように枠側接続端子３３は取付面２０Ｂの後方領域Ｔ外に位置している（退避状態）。この状態から、操作部材３４を上方へ引き上げる（平行移動させる）ことにより、端子ケース３５及び枠側接続端子３３も一体的に移動して、後方領域Ｔ内の盤側接続端子２３と接続される（進出状態）（図９、図１０（ｂ）参照）。
【００５１】
次に、遊技盤取外し作業について説明する。
【００５２】
＜接続解除作業＞
接続を解除するために、進出状態（図９、図１０（ｂ）参照）である枠側接続端子３３を退避状態（図８、図１０（ａ）参照）にする。これは、操作部材３４を下方へ引き下げる（平行移動させる）ことで行うことができる。後方領域Ｔ内に位置していた枠側接続端子３３は後方領域Ｔ外に移動するとともに、盤側接続端子２３は後方領域Ｔ内の位置に保たれている。
【００５３】
＜遊技盤の取外し作業＞
開閉軸線Ｏに沿う左辺２０Ｌを中心に遊技盤２０（遊技盤ユニット２）を回動し、内枠３０（内枠ユニット２）より嵌め込み固定を解除する（図５、６（ａ）参照）。このとき、取付面２０Ｂの後方領域Ｔ内に盤側接続端子２３の先端部が位置しており、さらに、枠側接続端子３３は後方領域Ｔ外に位置しているので、遊技盤２０を内枠３０から外しても盤側接続端子２３（枠側接続端子３３）と内枠３０とが接触することはない。
【００５４】
なお、遊技盤（遊技盤ユニット）の交換作業を行う場合には、まず接続解除作業を行った後、遊技盤の取外し作業を行い、その後新たな遊技盤の取付作業を行えばよい。
【００５５】
このような配線接続構造においては、枠側接続端子３３の進出状態（すなわち取付面２０Ｂの後方領域Ｔ内）にて、互いに取付面２０Ｂに沿うように配置される盤側接続端子２３と枠側接続端子３３とを接続するので、遊技盤２０の盤面２０Ｆを遊技領域２０ａとして広く活用することができる。また、枠側接続端子３３を退避状態（すなわち取付面２０Ｂの後方領域Ｔ外）として盤側接続端子２３と枠側接続端子３３との接続を解除し、内枠３０から遊技盤２０を離脱させるとき、盤側接続端子２３は取付面２０Ｂの後方領域Ｔ内にあり、枠側接続端子３３は全体が取付面２０Ｂの後方領域Ｔ外にあるので、遊技盤２０を重ねて運搬・搬送したり、内枠３０に対して着脱したりする際に、枠側接続端子３３、盤側接続端子２３等の損傷を防止できる。
【００５６】
（変形例１）
図１１は枠側接続端子３３の退避状態と進出状態との間の移動をスライダクランク機構により行うものである。操作部材１３４と端子ケース１３５とはクランク部１３６により連結されている。クランク部１３６は軸を中心に回転可能に設置されており、操作部材１３４はクランク部１３６の一端と軸支されている。クランク部１３６の他方の一端は端子ケース１３５の下方に設けられた長孔１３７を水平移動する。また、操作部材１３４が移動可能になるように内枠３０の操作部材１３４側には窓孔部１３８が設けられている。こうような構成において、枠側接続端子３３と盤側接続端子２３とが離れている退避状態（図１１（ａ））から操作部材１３４を下方に引き下げることにより、クランク部１３６が軸を中心に反時計回りに回転し、クランク部１３６の他方端は長孔１３７を左方向に平行移動する。この一連の動作により端子ケース１３５は上昇し、端子ケース１３５に設置されている枠側接続端子３３と盤側接続端子２３とが接続される（進出状態、図１１（ｂ））。進出状態から退出状態においてはこの動作と逆の動作が行われる。
【００５７】
このようにスライダクランク機構を用いることで少ない力で枠側接続端子３３と盤側接続端子２３との接続・接続解除が行える。ここで、操作部材１３４の前方には前面枠５（図示せず）が設置されることになるので、遊技者等が簡単に操作できないようになっている。
【００５８】
（変形例２）
図１２は枠側接続端子３３の退避状態と進出状態との間の移動を歯車伝達機構により行うものである。操作部材２３４（第１ラック）の突出部とは反対側はラック部が設けられている。また、端子ケース２３５の下方には同様に第２ラック２３７が第１ラック２３４と対峙して端子ケース２３５と接合されている。これら２つのラックは中心が回転可能に支持されたピニオン２３６を介して移動可能に位置している。また、操作部材２３４が移動可能になるように内枠３０の操作部材２３４側には窓孔部２３８が設けられている。こうような構成において、枠側接続端子３３と盤側接続端子２３とが離れている退避状態（図１２（ａ））から操作部材２３４を下方に引き下げると、ピニオン２３６が反時計回りに回転し、その動力が第２ラック２３７に伝えられ、第２ラック２３７は上昇する。第２ラック２３７は端子ケース２３５と接合されているので端子ケース２３５も同様に上昇し、端子ケース２３５に接続されている枠側接続端子３３は、盤側接続端子２３と接続される（進出状態、図１２（ｂ））。進出状態から退出状態においてはこの動作と逆の動作が行われる。
【００５９】
歯車伝達機構を用いることにより、接続・接続解除操作が緩やかに行えるとともに操作者の負担も軽減される。また、操作部材２２４の前方には前面枠５（図示せず）が設置されることになるので、変形例１と同様、遊技者等が簡単に操作できないようになっている。
【００６０】
（変形例３）
図１３は枠側接続端子３３の退避状態と進出状態との間の移動を揺動アーム機構により行うものである。操作部材３３４は端子ケース３３５と一体形成されている。操作部材３３４は回転軸を中心として回転可能に支持される２本のアームを有した留め具３３６の一方のアームにより支持されている。留め具３３６の他方のアームの先端は遊技盤２０の下方で回転可能に支持される把持部３３７に設けられた長孔部３３９を揺動可能に移動する。こうような構成において、退避状態（図１３（ａ））から留め具３３６を反時計回りに回転させると留め具３３６の操作部材３３４側のアームは上方に移動し、その動きに伴い端子ケース３３５も上昇し、枠側接続端子３３と盤側接続端子２３とが接続される（進出状態、図１３（ｂ））。同時に、把持部３３７側のアームの先端は長孔部３３９を手前側に移動する。その動作により把持部３３７は時計回りに揺動される。そして、把持部３３７の回転により遊技盤２０は下方から支えられるとともに内枠３０に固定される。進出状態から退出状態においてはこの動作と逆の動作が行われる。
【００６１】
このように、留め具３３６を動かすことで、把持部３３７と操作部材３３４とが連動されて動き、その動きに伴い遊技盤２０の固定と上下の端子（盤側接続端子２３と枠側接続端子３３）の接続とを一度の操作で同時に行うことができる。よって、取付け時の作業工程を減らすことができ、接続を解除する時も同様に作業工程を少なくできるので、盤替作業時の手間を省くことができる。また、留め具３３６は上記２つの作業を兼ねているので部品点数の削減に繋がるとともに、コンパクトにすることもできる。
【００６２】
（変形例４）
図１４（ａ）は盤裏カバー２９に盤側接続端子２３と平行状にその先端部よりも突出する保護壁（突出部）２９ａを設けた変形例である。このように、保護壁２９ａが盤側接続端子２３の先端部よりも高く突出することにより、遊技盤２０を重ねて運搬・搬送したり、内枠３０に対して着脱したりする際に、盤側接続端子２３等の損傷を防止できる。
【００６３】
また、図１４（ｂ）に示すように第二制御部３１側には枠側接続端子３３に沿って平行状に延出する延出壁（延出部）３６が配置され、その延出壁３６には枠側接続端子３３の進出状態（図１４（ｃ））において保護壁２９ａと係合する係合部３６ａを形成することもできる。このように、保護壁２９ａと係合部３６ａとの係合によって、盤側接続端子２３と枠側接続端子３３とを接続する際の端子同士の抜けを防止できる。さらに、盤側接続端子２３と枠側接続端子３３とを接続する際の芯ずれも減少し、両端子の損傷を防止して耐久性を向上させることもできる。
【００６４】
（実施例２）
次に、図１５は、図３に代わり、本発明に係る他の配線接続構造を示す側面視断面図である。枠側接続端子３３は端子ケース３５に固定支持された接続基板３２（装着部材；移動部材）に実装されている。接続基板３２の退出状態から進出状態への位置変更に伴って、配線基板２２と接続基板３２とが平行状に位置するとき、配線基板２２に実装された盤側接続端子２３と枠側接続端子３３とは、向き合う（対峙する）形にて直接接続される。このように、配線基板２２と接続基板２３との直接接続（ボードｔｏボード接続）により、両基板２２，２３間の配線を省略してコストダウンを図ることができ、また配線の絡み付き等により生じる断線を抑制することができる。
【００６５】
変形例（図１１〜図１４）、実施例２（図１５）において実施例１（図１〜図１０）と共通する機能を有する部分にはそれぞれ同一符号を付して説明を省略する。
【００６６】
なお、本発明に係る配線接続構造は、パチンコ機以外の遊技機（例えば、アレンジボール、アレンジパチンコ（アレパチ）、雀球遊技機等）にも適用できる。
【符号の説明】
【００６７】
１        パチンコ機（遊技機）
２        遊技盤ユニット
３        内枠ユニット
３ａ      ヒンジ
４        外枠（固定枠）
５        前面枠（ガラス枠）
６        液晶表示装置（遊技装置）
７        大入賞装置（アタッカー；遊技装置）
８        始動入賞装置（チャッカー；遊技装置）
９        球受皿
１０      発射ハンドル（遊技装置）
１１      スピーカ（遊技装置）
１２      払出装置（遊技装置）
２０      遊技盤
２０ａ    遊技領域
２０ｂ    ガイドレール
２０Ｆ    盤面（前面；第一主表面）
２０Ｂ    取付面（背面；第二主表面）
２０Ｌ    左辺
２０Ｒ    右辺
２０Ｕ    上辺
２０Ｄ    下辺
２１      第一制御部
２２      配線基板（設置部）
２３      盤側接続端子
２９      盤裏カバー（カバー体）
２９ａ    保護リブ（保護壁；突出部）
３０      内枠
３０Ｌ    左辺
３０Ｒ    右辺
３０Ｕ    上辺
３０Ｄ    下辺
３１      第二制御部
３２      接続基板（装着部材；移動部材）
３３      枠側接続端子
３４      操作部材
３５      端子ケース（装着部材；移動部材）
３６      延出リブ（延出壁；延出部）
３６ａ    係合部
３８      窓孔
Ｏ        開閉軸線
Ｔ        後方領域（投影領域）
【図１】
2011104273.tif 000003
【図２】
2011104273.tif 000004
【図３】
2011104273.tif 000005
【図４】
2011104273.tif 000006
【図５】
2011104273.tif 000007
【図６】
2011104273.tif 000008
【図７】
2011104273.tif 000009
【図８】
2011104273.tif 000010
【図９】
2011104273.tif 000011
【図１０】
2011104273.tif 000012
【図１１】
2011104273.tif 000013
【図１２】
2011104273.tif 000014
【図１３】
2011104273.tif 000015
【図１４】
2011104273.tif 000016
【図１５】
2011104273.tif 000017